(57)【要約】【課題】  第２のピア・コンバージャンス・プロトコル層へのデータ伝送に先行して、第１のコンバージャンス・プロトコル層がデータを組み立ててユニットに変える動作方法を提供する。【解決手段】  データは、複数のコンバージャンス・プロトコル層ユーザーのなかの１人によって第１のコンバージャンス・プロトコル層へ出力される。該方法は、少なくとも１つのアクセス・ポイント識別子を各ユーザーに割り当てるステップと、前記第１及び第２の層の間で１つまたはそれ以上の設定メッセージを交換するステップとを含み、各メッセージが、データ圧縮／解凍アルゴリズム識別子と、識別されたアルゴリズムについての１セットのパラメータと、さらに、ビット・マップが、識別されたアルゴリズムを利用するアクセス・ポイント識別子と、該アルゴリズムを利用しないアクセス・ポイント識別子とを示す場合には、前記アクセス・ポイント識別子のビット・マップとを含む。【選択図】      図２
2005168065.tif 000002
【特許請求の範囲】
【請求項１】
移動無線ネットワークを動作させる方法であって、第２のピア・コンバージャンス・プロトコル層(SNDCP) へのデータの伝送に先行して、第１のコンバージャンス・プロトコル層(SNDCP) がデータを組み立ててユニットに変え、前記データが、複数のコンバージャンス・プロトコル層ユーザーのなかの１人によって第１のコンバージャンス・プロトコル層へ出力されるように成される方法において、該方法は、
少なくとも１つのアクセス・ポイント識別子(NSAPI) を各ユーザーに対して割り当てるステップと、
前記第１の層及び第２の層の間で１つまたはそれ以上の圧縮制御メッセージを交換するステップと、
を含み、各メッセージが、
データ圧縮／解凍アルゴリズム識別子と、
識別されたアルゴリズムについての１セットのパラメータと、
を有し、前記圧縮制御メッセージが前記識別されたアルゴリズムを利用する少なくとも１つのアクセス・ポイント識別子のアイデンティフィケーションを含むことを特徴とする方法。
【請求項２】
前記データ・ユニットが前記アクセス・ポイント識別子(NSAPI) のなかの１つを含み、該識別子によって、受信用コンバージャンス・プロトコル層(SNDCP) がユニット中に含まれるデータを正しいユーザーへ送ることが可能になる、請求項１に記載の方法。
【請求項３】
前記圧縮制御メッセージが前記アクセス・ポイント識別子(NSAPI) のビット・マップを含み、前記ビット・マップが、前記識別されたアルゴリズムを利用するアクセス・ポイント識別子と、該アルゴリズムを利用しないアクセス・ポイント識別子とを示す、請求項１または請求項２に記載の方法。
【請求項４】
前記メッセージの各々が圧縮／解凍アルゴリズムを識別する１つのオクテットを有し、少なくとも１つのオクテットが前記アクセス・ポイント識別子のビット・マップを含み、複数のオクテットがそれぞれのアルゴリズム・パラメータを含む、請求項３に記載の方法。
【請求項５】
前記ビット・マップが２つのオクテットに含まれる、請求項４に記載の方法。
【請求項６】
パケット無線サービスの一部を形成する方法において、移動局とネットワークにおける前記第１及び第２のコンバージャンス・プロトコル層がサブネットワーク・デペンデント・コンバージャンス・プロトコル(SNDCP) 層であり、前記圧縮制御メッセージが交換用識別(XID) メッセージの形をとり、前記アクセス・ポイント識別子がNSAPI である、請求項１から請求項５までのいずれか１項に記載の方法。
【請求項７】
ネットワークへデータを伝送するための移動無線装置であって、前記データを組み立ててデータ・ユニットに変えるコンバージャンス・プロトコル層(SNDCP) と、少なくとも１つのアクセス・ポイント識別子(NSAPI) を有する複数のコンバージャンス・プロトコル層ユーザーとを有する前記装置において、前記ユーザーがコンバージャンス・プロトコル層へ前記データを出力し、前記コンバージャンス・プロトコル層がネットワーク中のピア・コンバージャンス層(SNDCP) へ前記データ・ユニットを伝送し、さらに、前記装置及び前記ネットワークのコンバージャンス・プロトコル層が１つまたはそれ以上の圧縮制御メッセージを交換し、前記各メッセージが、データ圧縮／解凍アルゴリズム識別子と前記識別されたアルゴリズムについての１セットのパラメータとを含み、前記圧縮制御メッセージが識別されたアルゴリズムを利用する少なくとも１つのアクセス・ポイント識別子のアイデンティフィケーションを含むことを特徴とする装置。
【請求項８】
移動無線装置へデータを伝送するためのセルラー無線ネットワークのサービングGPRSサポート・ノードであって、前記データを組み立ててデータ・ユニットに変えるコンバージャンス・プロトコル層(SNDCP) と、少なくとも１つのアクセス・ポイント識別子(NSAPI) を有する複数のコンバージャンス・プロトコル層ユーザーとを有する前記サポート・ノードにおいて、前記ユーザーがコンバージャンス・プロトコル層へ前記データを出力し、前記コンバージャンス・プロトコル層が前記移動無線装置中のピア・コンバージャンス層(SNDCP) へ前記データ・ユニットを伝送し、さらに、前記サポート・ノードのコンバージャンス・プロトコル層と前記移動無線装置とが１つまたはそれ以上の圧縮制御メッセージを交換し、前記各メッセージが、データ圧縮／解凍アルゴリズム識別子と識別されたアルゴリズムについての１セットのパラメータとを含み、前記圧縮制御メッセージが、前記識別されたアルゴリズムを利用する少なくとも１つのアクセス・ポイント識別子のアイデンティフィケーションを含むことを特徴とするサポート・ノード。
【発明の詳細な説明】
【技術分野】
【０００１】
本発明は、移動無線用サブネットワーク・デペンデント・コンバージャンス・プロトコルに関する。本発明は、特に、パケット無線サービス(GPRS)用として指定されるサブネットワーク・デペンデント・コンバージャンス・プロトコル(SNDCP) に適用可能である( もっとも必ずしもこれに限定されるものではない) 。
【背景技術】
【０００２】
GSM(広域移動通信システム) のような現在のデジタルセルラー電話システムは音声通信に重点を置いて設計されたものである。データは通常、移動局(MS)と基地局サブシステム(BSS) との間でいわゆる回線交換伝送モードを用いてエアインターフェースを介して伝送される。このモードでは物理チャネルすなわち１つ以上の周波数の一連の一定間隔で離間したタイム・スロットが通話中保留される。伝送対象の情報の流れが比較的連続している音声通信については、回線交換伝送モードが効率的であることは理にかなっている。しかし、インターネットへのアクセスなどのようなデータ・コール中は、データの流れが‘バースト(bursty)’になり、回線交換で物理チャネルを長時間保留することはエアインターフェースの不経済な使用を意味するものとなる。
【０００３】
デジタルセルラー電話システムを利用するデータサービスに対する要望が急速に増加していることを考慮して、パケット無線サービス(GPRS)として知られる新しいGSM ベースのサービスが欧州通信規格協会(ETSI)によって現在規格化されており、勧告GSM03.60で用語全体が定義されている。GPRSはデータ伝送を行うための物理チャネルの動的割り振りを提供するものである。すなわち、伝送対象のデータが存在するときに限って特定のMSからBSS リンクへ物理チャネルが割り振られる。伝送対象のデータが存在しない場合物理チャネルの不要な保留は回避される。
【０００４】
GPRSは、従来のGSM 回線交換伝送と接続して動作するものであり、データ通信と音声通信双方用のエアインターフェースの効率的利用を意図するものである。したがってGPRSではGSM 用として定義されている基本チャネル構造が利用される。GSM では、所定の周波数帯域が時間領域で分割され、TDMA( 時分割多重接続) フレームとして周知の一連のフレームに変えられる。TDMAフレーム長は4.615ms である。各TDMAフレームは等しい持続時間を持つ８つの連続スロットに順次分割される。従来の回線交換伝送モードではコールが開始されると、一連の各TDMAフレームで所定のタイム・スロット(1〜8)を保留することによりそのコール用の物理チャネルが定義される。シグナリング情報を送るための物理チャネルも同様に定義される。
【０００５】
GPRSの導入に伴い、物理チャネルを動的に割り当てることによりデータ伝送用“トラフィック・チャネル”が作成される。回線交換伝送モードのネットワークを求める需要が大きい場合は、回線交換伝送モード用として多数の物理チャネルを保留することが可能である。一方、GPRS伝送に対する要望が強い場合には、GPRS伝送モード用として多数の物理チャネルを保留することが可能である。さらに、一連のTDMAフレームの各々の中の２つまたはそれ以上のスロットを単一のMSに割り当てることにより高速交換パケット伝送チャネルを設けることもできる。
【０００６】
図１に図示のように特定の機能を持つ論理層の階層としてGSM フェーズ２＋(SM03.64) 用としてGPRS無線インターフェースをモデル化することができる。この場合、移動局(MS)とネットワークとは、MS／ネットワークインターフェースUmを介して交信を行う同一の層を上記階層中に有する。図１のモデルは、必ずしもMSとネットワーク中に含まれるハードウェアを表すものではなく、例示的なものであることが理解される。各層は、隣接層から受け取るデータのフォーマットを行う。受信データは最下位層から最上位層へ通過し、伝送データは最上位層から最下位層へ通過する。
【０００７】
いくつかのパケットデータ・プロトコル(PDP) エンティティがMSの最上位層に在る。これらのPDP のエンティティのなかのあるものは、１つのMSから別のMSへまたは１つMSから固定端末装置へパケットデータを送るためにポイント・ ツー・ ポイントプロトコル(PTPS)を使用する。PTP プロトコルの例として、ユーザー・アプリケーション( 図１には図示せず) とインターフェース可能なIP( インターネット・プロトコル) とX.25とが挙げられる。ここで注意すべきことは、２つまたはそれ以上のPDP エンティティが同じPDP を利用することができるという点である。また最上層にはSMS とシグナリング(L3M) のような他のGPRSエンドポイント・プロトコル・エンティティが在る。同様の構成がネットワーク内に、また、特に、サービングGPRSサポート・ノード(SGSN)に存在する。
【０００８】
最上位層エンティティのなかのある層では共通サブネットワーク・デペンデント・コンバージャンス・プロトコル(SNDCP)(GSM04.65) が使用される。このプロトコルは、その名称が示唆するように、透過的方法による更なる処理に適した(SNDCPユニットから成る) 共通形式に異なるPDP データを変換する( すなわち‘収束する’) ものである。SNDCP ユニットは1600以上のオクテットであり、エンドポイント接続( たとえばIP、X.25など) を識別するために使用するネットワークサービス・アクセスポイント識別子(NSAPI) を含むアドレス・フィールドを有する。各MSをその他のMSから独立に１セットのNSAPI に割り当てることができる。このアーキテクチャは、既存のGPRSアーキテクチャの中へ容易に組み入れることが可能な新しいPDP とリレーを将来開発できることを意味する。
【０００９】
各SNDCP(または他のGPRSエンドポイント・プロトコル) ユニットは、無線インターフェースを介して１つの論理リンク制御(LLC) フレームにより搬送される。これらのLLC フレームはLLC 層の中で定式化され(GSM04.64)、該フレームには、ナンバリング用及び一時アドレス用フィールド、可変長情報フィールド並びにフレームチェック・シーケンスを設けたヘッダフレームが含まれる。特に、このアドレス用フィールドには、LLC インターフェースのネットワーク側とユーザー側で特定の接続エンドポイント( 及びこのエンドポイントの相対的優先性とサービス品質(QoS))との識別を行うために用いるサービス・アクセスポイント識別子(SAPI)が含まれる。一方の接続エンドポイントはSNDCP であり、他方のエンドポイントにはショート・メッセージサービス(SMS) と管理層(LM3) とが含まれる。LLC 層は異なるエンド・ポイント・プロトコルから受信したデータのフォーマットを行う。SAPIは永久的に割り振られすべてのMSに対して共通である。
【００１０】
無線リンク制御(RLC) 層は、転送に失敗したRLC ブロックの再伝送を行うための、論理リンク制御層PDU(LLC PDU)のセグメンティングと再アセンブリングとを行ってRLC データブロックに変える手順を特に定義するものである。媒体アクセス制御(MAC) 層は物理リンク層( 以下参照) より上位の層で機能し、複数のMSが共通の伝送媒体を共有することを可能にする手順を定義するものである。このMAC の機能は、同時伝送を企てる複数のMS間の調停を行い、衝突の回避と、検出と、回復手順とを実行するものである。
【００１１】
物理リンク層(Phys. Link)はMSとネットワークとの間に物理チャネルを設けるものである。物理RF層(Phys. RF)は搬送波周波数とGSM 無線チャネル構造、GSM チャネル変調及び送信機／受信機特性を特に指定するものである。
【００１２】
MSがネットワークでアクティブになると、上述の各層でデータ処理方法を正確に定義する必要がある。またこの処理にはMSとネットワーク間の予備的ネゴシエーションの実施が含まれる。特に、SNDCP 交換用識別番号(XID) パラメータとして知られる制御用パラメータが、パラメータ・ネゴシエーション・ステップで、それぞれのLLC 層を介して２つのピアSNDCP 層の間で交換される。ネゴシエーションの初期化はMSまたはネットワークのいずれかで行うことができる。パラメータXID の受信時に、ピア・エンティティは、パラメータに従って自身の構成を行うか、ユーザー・エンティティと更なるネゴシエーションを行うかのいずれかを行う。SNDC-PXID パラメータのフィールド・フォーマットは以下のようになる。
【００１３】
【表１】
2005168065.tif 000003
【００１４】
図２は、更に詳細にSNDCP 層とSNDCP ユーザーと該層とのインターフェース及びLLC 層を考察するものであり、この図はMSとSGSNアーキテクチャの双方に適用できるものである。特に、図２は(GSM勧告04.65 に記載されているような)SNDCP層中にオプションとして構成されるプロトコル及び／又はユーザー・データの圧縮を例示するものである。データはまず圧縮され、次いでブロックに細分化され、その後SNDCP ヘッダが加えられてSNDCP ユニットが組み立てられる。図２が伝送用データの準備に適用できることが理解される。受信データは対応する逆方向の解凍により処理される。
【００１５】
現在のGSM04.65勧告では、プロトコル・データの圧縮を行うためにいくつかの異なる圧縮アルゴリズムを供することができるが、その一方で単一の圧縮アルゴリズムはユーザー・データの圧縮用と見なされているにすぎない( 但し、将来開発が行われていくつかの異なるユーザー・データ圧縮アルゴリズムが利用可能になるかもしれない) 。一般に、圧縮を利用するかどうかに関する決定はユーザー・インターフェース・アプリケーションにより行われ、該アプリケーションはSNDCP ユーザーのなかの１人がSNDCP 層へ供給するユーザー・データによって生成される。この決定はSNDCP 層へ通知される。しかし、圧縮が双方のピアSNDCP 層で利用可能でありさえすれば、圧縮の利用は可能である。
【００１６】
SNDCP-XID パラメータ・ネゴシエーション中、１つまたはそれ以上のプロトコル圧縮／解凍エンティティが定義され、XID パラメータの交換によって２つのピアSNDCP 層へ報告を行うことができる。同様に、他のXID パラメータの交換によりユーザー・データ圧縮／解凍エンティティ( いくつかのそのようなエンティティ) を定義することができる。GSM 勧告04.65 ではこの目的のために以下のXID メッセージが提案されている：
【００１７】
【表２】
2005168065.tif 000004
【００１８】
オクテット1 は特殊なアルゴリズムを識別し、一方、オクテット2 はXID メッセージ中の従うべきオクテット数を特定する。これらの従うべきオクテットは、利用するコードブック長やコードブック中で使用するコードワード長のような選択されたアルゴリズムのパラメータを定義するものである( 以下参照) 。
【００１９】
既に説明したように、SNDCP 層中でPDP コンテキストデータが組み立てられSNDCP ユニットへ変えられる。SNDCP 層は各ユニットにPCOMP(プロトコル制御情報圧縮) タグを付け、このタグによってそのユニット内に含まれるプロトコル・データがすでに圧縮されているかどうかの識別が行われ、もし圧縮されていれば圧縮アルゴリズムが利用される。同様に、ユーザー・データがすでに圧縮されているかかどうかを識別するためにDCOMP(データ圧縮) タグが付けられれ、もし圧縮されていればどのアルゴリズムが使われたかが識別される。上記各ユニットの受信時に受信用SNDCP 層は、PDP コンテキスト・データが解凍を必要とするかどうかの決定と、解凍を必要とする場合、( 受信されたSNDCP ユニットに含まれるNSAPI によって識別された) 適切なエンティティへデータの経路選択を行う前に、どのような解凍アルゴリズムを使用する必要があるかの決定を行うことができる。
【００２０】
SNDCP 層中のデータ( プロトコル・データ及びユーザー・データの双方) の圧縮に適した圧縮アルゴリズムにはコードブックの作成に依存するアルゴリズムが含まれる。このコードブックの中で、１セットのコードがそれぞれのベクトルによって特定される。各データ・セグメントについてコードブックの検索が行われ、最適の一致コードが発見される。次いで、同一のコードブックを含むピアエンティティへベクトルが伝送され、このベクトルを用いてコードブックの検索が行われ、元のコードの復元が行われる。圧縮対象データの圧縮処理効率を最適化するために、受信データを用いてコードブックが動的に更新される。２つまたはそれ以上のPDP エンティティが同じ圧縮アルゴリズムを使用する場合、これらのエンティティは同じコードブックを共有する。
【発明の開示】
【発明が解決しようとする課題】
【００２１】
本発明は、共有コードブックが、共有コードブックを利用する任意の１つのPDP コンテキストに最適なものとなる可能性がないという認識に由来するものである。したがって、本発明の目的は、異なるPDP コンテキストが、異なるコードブックを利用しながら同じ圧縮アルゴリズムを用いることができるサブネットワーク・デペンデント・コンバージャンス・プロトコルを提供することである。
【００２２】
GPRSについての上記の説明はGSM に関するものであったが、ここで注意すべきことはGPRSの方がずっと幅広い適応性を有しているということである。例えば、低レベルの無線プロトコルのみを変更することによって、提案されている第３世代の規格UMTS( 全世界移動通信サービス) にGPRSを適合させることができる。
【課題を解決するための手段】
【００２３】
本発明の第１の局面によれば、第２のピア・コンバージャンス・プロトコル層へのデータ伝送に先行して、第１のコンバージャンス・プロトコル層がデータを組み立ててユニットに変える移動無線ネットワークの動作方法が提供される。前記データは、複数のコンバージャンス・プロトコル層ユーザーのなかの１人によって第１のコンバージャンス・プロトコル層へ出力される。該方法は、
少なくとも１つのアクセス・ポイント識別子を各ユーザーに割り当てるステップと、
前記第１及び第２の層の間で１つまたはそれ以上の圧縮制御メッセージを交換するステップと、
を含み、各メッセージが、
データ圧縮／解凍アルゴリズム識別子と、
識別されたアルゴリズムについての１セットのパラメータと、
識別されたアルゴリズムを利用する少なくとも１つのアクセス・ポイント識別子のアイデンティフィケーションと、
を有する。
【００２４】
一般に、前記データ・ユニットには前記アクセス・ポイント識別子のなかの１つが含まれ、この識別子によって受信用コンバージャンス・プロトコル層は、ユニット中に含まれるデータを正しいユーザーへ送ることが可能になる。コンバージャンス・プロトコル層がコードブックを利用する圧縮／解凍アルゴリズムを用いる場合、この解凍アルゴリズムの利用によって別個のコードブックが作成され、別個のアクセス・ポイント識別子用として( これらの識別子が同じ圧縮／解凍アルゴリズムを用いる場合でも) このコードブックの利用が可能になる。
【００２５】
好適には、前記圧縮制御メッセージが前記アクセス・ポイント識別子のビット・マップを含むことが望ましい。この場合、ビット・マップによって、識別されたアルゴリズムを利用するアクセス・ポイント識別子と、該アルゴリズムを利用しないアクセス・ポイント識別子とが示される。
【００２６】
好適には、前記メッセージの各々が圧縮／解凍アルゴリズムを識別する第１のオクテットを有し、少なくとも１つのオクテットには前記アクセス・ポイント識別子のビット・マップが含まれ、複数のオクテットにはそれぞれのアルゴリズム・パラメータが含まれることが望ましい。さらに好適には２つのオクテット中に前記ビット・マップが含まれることが望ましい。
【００２７】
好適には、本発明の方法がパケット無線サービスの一部を形成し、前記第１と第２のコンバージャンス・プロトコル層が、移動局とネットワークにおいてサブネットワーク・デペンデント・コンバージャンス・プロトコル(SNDCP) 層であることが望ましい。この場合、前記設定メッセージは交換用識別(XID) メッセージの形をとり、前記アクセス・ポイント識別子はNSAPI である。
【００２８】
また本発明はコンバージャンス・プロトコル層を使用する他のパケット無線サービスに適用可能である。
【００２９】
本発明の第２の局面によれば、上記の本発明の第１の局面の方法を利用するように設けた移動無線装置が提供される。
【００３０】
本発明の第３の局面によれば、上記の本発明の第１の局面の方法を利用するように設けたセルラー無線ネットワークのサービングGPRSサポート・ノードが提供される。
【発明を実施するための最良の形態】
【００３１】
本発明をよく理解するために、さらに、同発明を実施する方法を図示するために、例を挙げて、添付図面の参照を行う。
【００３２】
上述したように、GPRSにSNDCP 層を設けるための現在のETSI勧告ではプロトコルとユーザー・データ双方について定義されているいくつかの圧縮／解凍アルゴリズムが許されている。このデータを含むSNDCP ユニットの圧縮と伝送に先行して、２つのピアSNDCP 層(MS 中の１層と、ネットワーク中のもう一方の層) の間で各アルゴリズムのネゴシエーションが行われる。SNDCP ユニットが伝送されるとき、PCOMP とDCOMP タグがそのユニット中に含まれ、パケットデータ及び／又はユニットに含まれるユーザー・データのいずれかが圧縮されているかどうかの識別が受信層に対して行われ、圧縮されていればどのアルゴリズムが使用されているかの識別が行われる。
【００３３】
本明細書において、アルゴリズムのネゴシエーションを行うために用いられるXID メッセージの中にどのNSAPI がアルゴリズムを使用すべきかを特定するためのビット・マップを含むことが提案される。現在のETSIの提案では、MSに対して16個のNSAPI を割り当てることができる。したがって２つの特別のオクテットがXID メッセージに対して加えられる。この場合、ビット(0〜15) の位置によってNSAPI(1 〜16) が特定され、1 は、NSAPI がアルゴリズムを使用することを示し、0 はNSAPI がアルゴリズムを使用しないことを示す。新しいXID メッセージは以下のようになる：
【００３４】
【表３】
2005168065.tif 000005
【００３５】
いったん、アルゴリズムが２つのピアSNDCP 層の間でネゴシエーションを行った場合、その１つのアルゴリズム用としていくつかの異なる圧縮／解凍コードブックを作成することが可能となり、各コードブックがそれぞれのNSAPI に対して割り当てられる。このようにして、異なるNSAPI に対する( 異なるSNDCP ユーザーに対する) 圧縮／解凍処理の最適化が可能とる。場合によっては、同じアルゴリズムを用いるいくつかのNSAPI の間で単一のコードブックを共有してもよい。２人の端末ユーザーが同じPDP を共有し、共通コードブックの利用に好適な類似データを生成するような場合に、上記で単一のコードブックの共有は目的に適ったものとなろう。
【００３６】
SNDCP ユニットがSNDCP 層によって受信されたとき、使用される圧縮アルゴリズム( 何らかのアルゴリズムが存在する場合) はPCOMP とDCOMP タグとから識別される。この識別アルゴリズムを用いた解凍に使用された場合、( 上述のように) ユニットに含まれるNSAPI からコードブックを識別することができる。
【００３７】
GSM/GPRS無線電話ネットワークの一般的構造が図３に例示されている。この図では以下の頭字語が用いられる。
BSC     基地局コントローラ
BSS     基地局サブシステム
BTS     基地送受信局
GGSN    ゲートウェイGPRSサポートノード
GPRS    広域パケット無線サービス
GSM     広域移動通信システム
HLR     ホーム・ロケーション・レジスタ
IP      インターネットプロトコル
L3M     層3 管理
LLC     論理リンク制御
MAC     媒体アクセス制御
MS      移動局
MSC     移動交換センター
NSAPI   ネットワークサービス・アクセスポイント識別子
PC/PDA  パーソナル・コンピュータ／個人用情報端末
PDP     パケットデータ・プロトコル
PDU     プロトコル・データユニット
PSTN    公衆交換電話通信網
PTM-G   ポイント・ ツー・ マルチポイントグループ
PTM-M   ポイント・ ツー・ マルチポイントマルチキャスト
PTP     ポイント・ ツー・ ポイント
RLC     無線リンク制御
SAPI    サービス・アクセスポイント識別子
SGSN    サービングGPRSサポートノード
SMS     ショート・メッセージサービス
SNDCP   サブネットワーク・デペンデント・コンバージャンス・プロトコル
SS7     シグナリングシステム番号7 
TCP/IP  伝送制御用プロトコル／インターネット用プロトコル
TDMA    時分割多重接続
UM      ネットワーク・インターフェースとの移動局
UMTS    全世界移動通信サービス
X.25    ネットワーク層プロトコル仕様
【図面の簡単な説明】
【００３８】
【図１】図１は、GPRS無線リンクのプロトコル層を例示する。
【図２】図２は、図１のプロトコルの上位層を更に詳細に例示する。
【図３】図３は、概略的にGSM/GPRSデジタルセルラー電話ネットワークのアーキテクチャを図示する。
【図１】
2005168065.tif 000006
【図２】
2005168065.tif 000007
【図３】
2005168065.tif 000008